(57)【要約】【課題】  高い位置から側面衝突を受けた場合でも、車両の中央部に効率よく衝突荷重を伝達し、もって車両の破損を小さくすることができる車両の側部構造を提供する。【解決手段】  車両におけるセンターピラー１には、車両側面部材２が設けられており、車両側面部材２は、外側硬部１１と内側軟部１２とを有している。センターピラー１の外側から他の車両などの物体が衝突した際には、車両側面部材２が車両の内側に移動させられてパイプ部材４に接触する。このとき、車両側面部材２の内側軟部１２がパイプ部材４に食い込み、車両側面部材２とパイプ部材４とが一体化して、パイプ部材４の押し下げが防止される。【選択図】  図１
2006347491.tif 000002
【特許請求の範囲】
【請求項１】
車両におけるシートに設けられ、車幅方向に延在する棒状の車幅方向部材と、
前記車幅方向部材と対向し、車幅方向内側に位置する対向部材と、
前記車幅方向部材と対向し、車幅方向外側の車両側面部に位置する車両側面部材と、を備え、
前記車両側面部材は、前記車両の側面からの荷重によって移動することにより、前記車幅方向部材と一体化する構造とされていることを特徴とする車両の側部構造。
【請求項２】
前記車両側面部材は、外側に配置された硬性部材と、前記硬性部材における前記車幅方向部材側に配置された易変形性部材と、を有する請求項１に記載の車両の側部構造。
【請求項３】
前記車両側面部材は、前記車幅方向部材の側面に嵌合する嵌合部を有する請求項１に記載の車両の側部構造。
【請求項４】
前記嵌合部は、前記車幅方向部材の高さ位置の上下にそれぞれ配置された上部フランジおよび下部フランジを有する請求項３に記載の車両の側部構造。
【請求項５】
前記車幅方向部材がシートに取り付けられており、前記車両側面部材は、前記車幅方向部材が移動する範囲の車両前後方向に延びて配置されている請求項１〜請求項４のうちのいずれか１項に記載の車両の側部構造。
【発明の詳細な説明】
【技術分野】
【０００１】
本発明は、車両の側部構造に係り、特に、衝突時等における車両の破損を小さくすることができる車両の側部構造に関する。
【背景技術】
【０００２】
車両の側面から他の車両等の物体が衝突する側面衝突が生じた際に、車両に対する衝撃荷重を小さくするため、従来、たとえば特開平９−１６９２３２号公報に開示された車両用シートがある。この車両用シートでは、シートバックフレームにおける下部フレームのインナー側の一端より補強パイプが挿入されている。この補強パイプは、シートバックフレームのアウター側のサイドフレームまで延設されており、補強パイプのインナー側の端部には荷重伝達材が固着されている。さらに、荷重伝達材は、インナー側のリクライニング機構に近接して配置されている。このような構造とされていることにより、側面衝突が生じて車両のアウター側から衝撃荷重が与えられた際、補強パイプが下部フレームの強度を補強するとともに、荷重伝達材を介してインナー側のリクライニング機構に荷重が伝達されて衝撃荷重が吸収される。このため、車両の破損を小さくすることができるというものである。
【特許文献１】特開平９−１６９２３２号公報
【発明の開示】
【発明が解決しようとする課題】
【０００３】
上記特許文献１に開示された車両用シートでは、側面衝突が生じた車両の高さ位置が下部フレームと同程度であれば所期の目的を達成することができる。ところが、近年、いわゆるＲＶ車などの増加に伴い、バンパが高い位置に設定された車両も多くなっている。このようなバンパが高い位置に設定された車両が側面衝突してきた場合、その側面衝突の高さ位置は高い位置となる。この場合、上記特許文献１に開示された車両用シートでは、ドアに接触した物体が下部フレームを押し下げてしまい、荷重をインナー側（中央側）に効率よく伝達できないという問題があった。
【０００４】
そこで、本発明の課題は、高い位置から側面衝突を受けた場合でも、車両の中央部に効率よく衝突荷重を伝達し、もって車両の破損を小さくすることができる車両の側部構造を提供することにある。
【課題を解決するための手段】
【０００５】
上記課題を解決した本発明に係る車両の側部構造は、車両におけるシートに設けられ、車幅方向に延在する棒状の車幅方向部材と、車幅方向部材と対向し、車幅方向内側に位置する対向部材と、車幅方向部材と対向し、車幅方向外側の車両側面部に位置する車両側面部材と、を備え、車両側面部材は、車両の側面からの荷重によって移動することにより、車幅方向部材と一体化する構造とされているものである。
【０００６】
本発明に係る車両の側部構造では、車両側面部材が設けられており、この車両側面部材は、車両の側面からの荷重によって移動することにより、車幅方向部材と一体化する構造とされている。このため、車両に側面衝突が生じて車両側面部材が車両の中央方向に荷重を受けて移動したとしても、車両側面部材は、車幅方向部材と一体化する。したがって、高い位置から側面衝突を受けた場合でも、車両側面部材と車幅方向部材とが一体化するので、車幅方向部材が落下するのを防止することができる。このように車幅方向部材が落下することがないので、この車幅方向部材を通じて車幅方向内側に位置する車両の中央の対向部材に向けて効率よく衝突荷重を伝達することができ、もって車両の破損を小さくすることができる。なお、本発明にいう「一体化する構造」とは、側面部材により車幅方向部材を拘束し、側面部材に対する車幅方向部材の動きを抑制する構造であればよい。
【０００７】
ここで、車両側面部材は、外側に配置された硬性部材と、硬性部材における車幅方向部材側に配置された易変形性部材と、を有する態様とすることができる。
【０００８】
このように、硬性部材における車幅方向部材側に易変形性部材を配置することにより、側面衝突が生じて車両側面部材が車両の中央側に移動すると、易変形性部材が車幅方向部材に衝突して変形し、易変形部材と車幅方向部材とが一体化される。このようにして車両側面部材を形成することができる。このような易変形部材としては、金属薄板、ナイロンインゴッドなどの樹脂、ハニカム構造の金属部材などを用いることができる。
【０００９】
また、車両側面部材は、車幅方向部材の側面に嵌合する嵌合部を有する態様とすることもできる。
【００１０】
このような嵌合部を設けることにより、車両側面部材を車幅方向部材に確実に一体化させることができる。
【００１１】
さらに、嵌合部は、車幅方向部材の高さ位置の上下にそれぞれ配置された上部フランジおよび下部フランジを有する態様とすることもできる。
【００１２】
このように、嵌合部として上部フランジおよび下部フランジを設けることにより、車両側面部材を車幅方向部材に対してより確実に一体化させることができる。
【００１３】
また、車幅方向部材がシートに取り付けられており、車両側面部材は、車幅方向部材が移動する範囲の車両前後方向に延びて配置されている態様とすることもできる。
【００１４】
このように、車両側面部材が車両の前後方向に延びて配置されていることにより、車幅方向部材が取り付けられたシートを前後方向に移動させた場合でも、車幅方向部材の側方に確実に車両側面部材を配置させることができる。
【発明の効果】
【００１５】
本発明に係る車両の側部構造によれば、高い位置から側面衝突を受けた場合でも、車両の中央部に効率よく衝突荷重を伝達し、もって車両の破損を小さくすることができる。
【発明を実施するための最良の形態】
【００１６】
以下、図面を参照して、本発明の好適な実施形態について説明する。なお、各実施形態において、同一の機能を有する部分については同一の符号を付し、重複する説明は省略することがある。図１は、本発明の第一実施形態に係る車両の側部構造の要部斜視図、図２は、その要部側面図、図３は、その要部正面図である。
【００１７】
図１ないし図３に示すように、本実施形態における車両には、センターピラー１が設けられており、センターピラー１における車両内側には、センターピラー１のトリム構造の一部として、車両側面部材２が取り付けられている。また、車両における室内には、乗員が着座するシート部材３が設けられており、シート部材３の下部に本発明の車幅方向部材であるパイプ部材４が設けられている。パイプ部材４は、車幅方向に延在する棒状の部材である。このように、車両側面部材２は、パイプ部材４の側方位置であって、車両の外側位置に配置されている。
【００１８】
センターピラー１に取り付けられた車両側面部材２は、パイプ部材４の径よりも高さ方向に長い部材であり、その高さ方向中心位置は、パイプ部材４の高さ位置とほぼ同じ高さ位置に配置されている。このため、車両側面部材２の上端部は、パイプ部材４よりも高い位置に位置し、下端部は、パイプ部材４よりも低い位置に位置している。さらに、パイプ部材４の外側端部および内側端部は、いずれもシート部材３の側方からはみ出した位置まで延在しており、外側端部は露出した状態にある。このうち、パイプ部材４の内側端部は、図３に示すように、パイプ部材４と対向し、パイプ部材４の内側に位置する対向部材である支持部材５によって支持されている。この支持部材５は、車両のボディに取り付けられている。
【００１９】
センターピラー１に取り付けられた車両側面部材２は、図２に示すように、本発明の硬性部材となる外側硬部１１と、本発明の易変形部材となる内側軟部１２とを備えている。外側硬部１１は、たとえば金属塊からなり、比較的高い硬度を有している。一方、内側軟部１２は、たとえばナイロンインゴッドからなり、比較的低い硬度を有している。このため、車両の側方から大きな荷重が掛かり、車両側面部材２が車両の内側に向けて移動すると、内側軟部１２がパイプ部材４に食い込むようになっている。こうして、内側軟部１２がパイプ部材４に食い込むことにより、車両側面部材２とパイプ部材４とが一体化する構造となっている。
【００２０】
さらに、図２に示すように、車両側面部材２は、シート部材３を前後方向に移動させることによってパイプ部材４が移動可能な範囲の車両前後方向に延びて配置される、正面視した形状が板状をなしている。このため、乗員がシート部材３を自分の体格等に合わせて前後方向に移動させ、シート位置を調整した場合でも、パイプ部材４の側方位置に必ず車両側面部材２が配置された状態となっている。
【００２１】
以上の構成を有する本実施形態に係る車両の側部構造の作用について説明する。
【００２２】
本実施形態に係る車両の側部構造においては、他の車両などの物体が側面から衝突してくると、車両が側面から荷重を受け、車両の側面からの荷重によって車両側面部材２が移動する。このように、車両側面部材２が移動すると、車両側面部材２における内側軟部１２がパイプ部材４に食い込み、車両側面部材２とパイプ部材４とが一体化する。
【００２３】
ここで、バンパが高い位置に取り付けられた車両が、側面から衝突してきた物体である場合について考える。たとえば、車両側面部材として内側軟部が設けられていない硬性の部材で硬性されている場合、図５に示すように、側面から衝突してきた車両Ｍの衝撃により、車両側面部材１５が下方に押し付けられる。車両側面部材１５が下方に押し付けられると、車両側面部材１５がパイプ部材４を押し下げてしまい、荷重を支持部材に効率よく伝達できなくなってしまう。
【００２４】
これに対して、本実施形態に係る車両の側部構造では、車両側面部材２に、内側軟部１２が設けられている。このため、側面から衝突してきた車両Ｍの衝撃により、車両側面部材１５が下方に押し付けられると、図４に示すように、車両側面部材２は、車室内の内側に移動し、パイプ部材４に当接する。このとき、車両側面部材２の内側軟部１２がパイプ部材４に食い込んで車両側面部材２とパイプ部材４とが一体化するので、パイプ部材４が下方に押し下げられず、ほぼ水平状態を維持することができる。このため、車両側面部材２に掛かった荷重は、パイプ部材４を介して支持部材５に伝達される。したがって、車両の中央に向けて効率よく衝突荷重を伝達することができ、もって車両の破損を小さくすることができる。
【００２５】
また、本実施形態に係る車両の側面構造における車両側面部材２は、シート部材３を前後方向に移動させることによってパイプ部材４が移動可能な範囲の車両前後方向に延びて配置されている。このため、乗員がシート部材３の前後位置を自分の好みに応じた調整した場合でも、必ずパイプ部材４の側方に車両側面部材２が配置されていることになる。したがって、シート部材３の前後方向の位置によらず、車両の側方から物体が衝突した場合に、車両側面部材２は、シート部材３に食い込むことになり、車両の中央に向けて効率よく衝突荷重を伝達することができ、もって車両の破損を小さくすることができる。
【００２６】
次に、本発明の第二の実施形態について説明する。本実施形態は、上記第一の実施形態と比較して、車両側面部材に外側硬部と内側軟部とが設けられている点に対して、噛み込み構造が設けられている点において異なる。図６は、本実施形態に係る車両の側部構造の要部正面図である。
【００２７】
図６に示すように、本実施形態に係る車両の側部構造においては、センターピラー１における車両内側に車両側面部材２０が設けられている。車両側面部材２０は、金属塊からなる側面部材本体２１と、側面部材本体２１における車両内側に突出する嵌合部２２を備えている。嵌合部２２は、側面部材本体２１の上下位置にそれぞれ設けられた上フランジ２３と下フランジ２４とを備えている。上フランジ２３と下フランジ２４との間の距離は、パイプ部材４の径とほぼ同じ長さに設定されている。また、これらの側面部材本体２１および嵌合部２２は、同一の素材によって一体的に形成されている。その他の構成については、上記第一の実施形態と同様である。
【００２８】
次に、本実施形態に係る車両の側部構造の作用について説明する。
【００２９】
本実施形態に係る車両の側部構造においては、他の車両などの物体が側面から衝突してくると、車両が側面から荷重を受け、車両の側面からの荷重によって車両側面部材２０が移動する。このように、車両側面部材２０が移動すると、図７に示すように、車両側面部材２０における上下フランジ２３，２４がパイプ部材４の端部を噛み込み車両側面部材２０とパイプ部材４とが一体化する。
【００３０】
車両側面部材２０とパイプ部材４とが一体化すると、上記第一の実施形態と同様、パイプ部材４が下方に押し下げられず、ほぼ水平状態を維持することができる。このため、車両側面部材２０に掛かった荷重は、パイプ部材４を介して支持部材５に伝達される。したがって、車両の中央に向けて効率よく衝突荷重を伝達することができ、もって車両の破損を小さくすることができる。
【００３１】
続いて、本発明の第三の実施形態について説明する。本実施形態では、上記第二の実施形態と同様に噛み込み構造が設けられているが、その噛み込み構造が上記第二の実施形態とは異なる。図８は、第三の実施形態に係る車両の側部構造の要部正面図である。
【００３２】
図８に示すように、本実施形態に係る車両の側部構造においては、センターピラー１における車両内側に車両側面部材３０が設けられている。車両側面部材３０は、金属塊からなる側面部材本体３１と、側面部材本体３１における車両内側に突出する嵌合部３２を備えている。嵌合部３２は、側面部材本体３１の上下位置にそれぞれ設けられた上フランジ３３と下フランジ３４とを備えている。上フランジ３３と下フランジ３４との間の距離は、パイプ部材４の径よりも大きく設定されている。また、これらの側面部材本体３１およびフランジ３３，３４は、同一の素材によって一体的に形成されている。
【００３３】
また、パイプ部材４における車両外方の端部には、噛合部材３５が取り付けられている。噛合部材３５は、噛合本体部３６と、結合部３７とを有している。噛合本体部３６は、金属塊からなり、結合部３７は、噛合本体部３６の上下位置において、車両の内側に突出して設けられている。噛合本体部３６の高さは、車両側面部材３０における上フランジ３３と下フランジ３４との間の幅とほぼ同一に設定されており、結合部３７は、パイプ部材４における車両外方端部に結合されて固定されている。その他の構成については、上記第一の実施形態と同様である。
【００３４】
次に、本実施形態に係る車両の側部構造の作用について説明する。
【００３５】
本実施形態に係る車両の側部構造においては、他の車両などの物体が側面から衝突してくると、車両が側面から荷重を受け、車両の側面からの荷重によって車両側面部材３０が移動する。このように、車両側面部材３０が移動すると、図９に示すように、車両側面部材３０における上下フランジ３３，３４が噛合部材３５を噛み込み、車両側面部材３０と噛合部材３５、さらにはパイプ部材４が一体化する。
【００３６】
車両側面部材３０、噛合部材３５、およびパイプ部材４が一体化すると、上記第一の実施形態と同様、パイプ部材４が下方に押し下げられず、ほぼ水平状態を維持することができる。このため、車両側面部材３０に掛かった荷重は、パイプ部材４を介して支持部材５に伝達される。したがって、車両の中央に向けて効率よく衝突荷重を伝達することができ、もって車両の破損を小さくすることができる。
【００３７】
また、このような噛合部材３５を設けることにより、パイプ部材４が細径などである場合でも、車両側面部材３０は噛合部材３５に良好に噛み合う。したがって、車両側面部材３０とパイプ部材４とを確実に一体化させることができる。
【００３８】
以上、本発明の好適な実施形態について説明したが、本発明は上記実施形態に限定されるものではない。たとえば、上記第一の実施形態において、車両側面部材の内側軟部としてナイロンインゴットを用いているが、ウレタン樹脂などを用いることができる。また、内側軟部の形状をハニカム形状として、軟性を有する材料とすることもできる。さらに、上記実施形態では、対向部材となる支持部材にパイプ部材４を固定しているが、パイプ部材４に離間した位置に対向部材を設ける態様とすることもできる。
【図面の簡単な説明】
【００３９】
【図１】第一実施形態に係る車両の側部構造の要部斜視図である。
【図２】第一実施形態に係る車両の側部構造の要部側面図である。
【図３】第一実施形態に係る車両の側部構造の要部正面図である。
【図４】第一実施形態に係る車両の側面から他の車両が衝突した状態の図である。
【図５】従来の車両の側面から他の車両が衝突した状態の図である。
【図６】第二実施形態に係る車両の側部構造の要部正面図である。
【図７】第二実施形態に係る車両の側面から他の車両が衝突した状態の図である。
【図８】第三実施形態に係る車両の側部構造の要部正面図である。
【図９】第三実施形態に係る車両の側面から他の車両が衝突した状態の図である。
【符号の説明】
【００４０】
１…センターピラー、２，２０，３０…車両側面部材、３…シート部材、４…パイプ部材、５…支持部材、１１…外側硬部、１２…内側軟部、２２，３２…嵌合部。
【図１】
2006347491.tif 000003
【図２】
2006347491.tif 000004
【図３】
2006347491.tif 000005
【図４】
2006347491.tif 000006
【図５】
2006347491.tif 000007
【図６】
2006347491.tif 000008
【図７】
2006347491.tif 000009
【図８】
2006347491.tif 000010
【図９】
2006347491.tif 000011